(57)【要約】【課題】分割された表示領域の境界部における表示品位を向上する。【解決手段】表示装置（１）は、第１表示領域（８Ａ）および第２表示領域（８Ｂ）を有する表示パネル（７）と、表示データが第１表示領域と第２表示領域との境界に隣接する第１画素に書き込まれる場合の表示データに対する補正量と、境界に隣接しない第２画素に書き込まれる場合の表示データに対する補正量とを異ならせるように、表示データの階調補正を行う境界補正回路（４Ａ・４Ｂ）とを備える。【選択図】図１
2017003712.tif 000002
【特許請求の範囲】
【請求項１】
互いに異なる走査信号線群および互いに異なるデータ信号線群によって駆動され、かつ、互いに隣接する、第１表示領域および第２表示領域を有する表示パネルと、
ある階調の表示データについて、上記表示データが上記第１表示領域と上記第２表示領域との境界に隣接する第１画素に書き込まれる場合の上記表示データに対する補正量と、上記境界に隣接しない第２画素に書き込まれる場合の上記表示データに対する補正量とを異ならせるように、上記表示データの階調補正を行う階調補正部とを備えることを特徴とする表示装置。
【請求項２】
上記階調補正部は、上記表示データが書き込まれる画素が上記境界に隣接するか否かに応じて、上記表示データに対する補正量を異ならせることを特徴とする請求項１に記載の表示装置。
【請求項３】
上記表示データが上記第１画素に書き込まれる場合の上記補正量は、上記表示データが上記第２画素に書き込まれる場合の上記補正量よりも、大きいことを特徴とする請求項１または２に記載の表示装置。
【請求項４】
上記第１表示領域および上記第２表示領域は、データ信号線が延びる方向に並んでおり、
上記表示データについて、上記第１画素が走査信号線ドライバから最も離れて位置する場合の上記補正量は、上記第１画素が上記走査信号線ドライバから最も近くに位置する場合の上記補正量よりも、大きいことを特徴とする請求項１から３のいずれか一項に記載の表示装置。
【請求項５】
上記表示データに対する上記補正量は、上記表示データが上記境界に隣接する上記第１画素に書き込まれる場合に、最大となることを特徴とする請求項１から４のいずれか一項に記載の表示装置。
【請求項６】
上記第１表示領域において上記境界に隣接する第３画素は、１フレーム期間の最後に走査され、
上記第２表示領域において上記境界に隣接する上記第１画素は、１フレーム期間の最初に走査され、
上記表示データが上記第１画素に書き込まれる場合の上記補正量は、上記表示データが上記第３画素に書き込まれる場合の上記補正量よりも、大きいことを特徴とする請求項１から５のいずれか一項に記載の表示装置。
【請求項７】
上記階調補正部は、上記補正量が大きいほど、上記表示データの階調をより明るく補正することを特徴とする請求項３から６のいずれか一項に記載の表示装置。
【請求項８】
上記階調補正部は、一部の座標の画素および一部の階調に関して上記補正量が設定された補正量テーブルを参照し、上記補正量テーブルの複数の上記補正量から補間することにより、他の座標の画素に書き込まれる他の階調の表示データに対する上記補正量を決定することを特徴とする請求項１から７のいずれか一項に記載の表示装置。
【請求項９】
上記階調補正部は、上記階調補正が行われない場合に上記境界の位置に生じる暗線を、上記階調補正によって解消することを特徴とする請求項１から８のいずれか一項に記載の表示装置。
【請求項１０】
各画素は、明副画素と暗副画素とを備え、
上記境界から上記明副画素までの距離に応じて、該明副画素に書き込まれる上記表示データに対する上記補正量を異ならせることを特徴とする請求項１から９のいずれか一項に記載の表示装置。
【請求項１１】
上記明副画素が上記境界に隣接する上記第１画素に上記表示データが書き込まれる場合の上記補正量は、上記暗副画素が上記境界に隣接する第４画素に上記表示データが書き込まれる場合の上記補正量よりも大きいことを特徴とする請求項１０に記載の表示装置。
【請求項１２】
互いに異なる走査信号線群および互いに異なるデータ信号線群によって駆動され、かつ、互いに隣接する、第１表示領域および第２表示領域を有する表示パネルを備え、
第１画素は、上記第１表示領域と上記第２表示領域との境界に隣接し、第２画素は、上記境界に隣接せず、
上記第１画素においてある階調の表示データをある極性で表示するときの、上記第１画素に対応するデータ信号線の出力電圧は、上記第２画素において該階調の表示データを該極性で表示するときの、上記第２画素に対応するデータ信号線の出力電圧とは異なることを特徴とする表示装置。
【請求項１３】
表示装置の制御方法であって、
上記表示装置は、互いに異なる走査信号線群および互いに異なるデータ信号線群によって駆動され、かつ、互いに隣接する、第１表示領域および第２表示領域を有する表示パネルを備え、
ある階調の表示データについて、上記表示データが上記第１表示領域と上記第２表示領域との境界に隣接する第１画素に書き込まれる場合の上記表示データに対する補正量と、上記境界に隣接しない第２画素に書き込まれる場合の上記表示データに対する補正量とを異ならせるように、上記表示データの階調補正を行うステップを含むことを特徴とする表示装置の制御方法。
【請求項１４】
表示装置の駆動方法であって、
上記表示装置は、互いに異なる走査信号線群および互いに異なるデータ信号線群によって駆動され、かつ、互いに隣接する、第１表示領域および第２表示領域を有する表示パネルを備え、
第１画素は、上記第１表示領域と上記第２表示領域との境界に隣接し、第２画素は、上記境界に隣接せず、
上記第１画素においてある階調の表示データをある極性で表示するときの、上記第１画素に対応するデータ信号線の出力電圧は、上記第２画素において該階調の表示データを該極性で表示するときの、上記第２画素に対応するデータ信号線の出力電圧とは異なることを特徴とする表示装置の駆動方法。
【発明の詳細な説明】
【技術分野】
【０００１】
本発明は、分割された表示領域を有する表示装置に関する。
【背景技術】
【０００２】
絵素数が４Ｋ２Ｋ（横：３８４０絵素、縦：２１６０絵素）または８Ｋ４Ｋ（横：７６８０絵素、縦：４３２０絵素）等の高精細な表示装置では、１つの画素電極に表示データの信号を書き込む時間が十分に確保できない場合がある。そこで、書き込み時間を確保するために、画面を上下に分割し、上下の画面を同時に並列に駆動する分割駆動技術がある。
【０００３】
特許文献１には、分割駆動される表示装置において、分割された表示領域の端から中央に向かって走査される場合、最も中央側に位置する複数の画素に対応する映像信号の出力を遅延させる技術が記載されている。
【先行技術文献】
【特許文献】
【０００４】
【特許文献１】特開２０１４−０４８４２１号公報（２０１４年３月１７日公開）
【発明の概要】
【発明が解決しようとする課題】
【０００５】
データ信号線に付随する容量および配線抵抗の影響によって、データドライバからデータ信号線に出力されたデータ信号は、配線距離が長い分割された表示領域の境界部に近づくにしたがって、鈍ってしまう。さらに、境界部では、画面の上下が並列に駆動されているため、データ信号の波形が他の部分の波形と比べて不連続に変化してしまう。これにより、例えば、画面全体において１つの階調を表示する場合であっても、境界部において、他の部分とは輝度の異なる線が表示されることがある。
【０００６】
特許文献１の技術では、データ信号の波形の鈍りの影響を十分に補償することができない。また、特許文献１の技術では、映像信号の出力を遅延させることができるデータドライバが必要になる。
【０００７】
本発明の目的は、分割された表示領域の境界部における表示品位を向上する表示装置を実現することにある。
【課題を解決するための手段】
【０００８】
本発明の一態様に係る表示装置は、互いに異なる走査信号線群および互いに異なるデータ信号線群によって駆動され、かつ、互いに隣接する、第１表示領域および第２表示領域を有する表示パネルと、ある階調の表示データについて、上記表示データが上記第１表示領域と上記第２表示領域との境界に隣接する第１画素に書き込まれる場合の上記表示データに対する補正量と、上記境界に隣接しない第２画素に書き込まれる場合の上記表示データに対する補正量とを異ならせるように、上記表示データの階調補正を行う階調補正部とを備える。
【０００９】
本発明の一態様に係る表示装置は、互いに異なる走査信号線群および互いに異なるデータ信号線群によって駆動され、かつ、互いに隣接する、第１表示領域および第２表示領域を有する表示パネルを備え、第１画素は、上記第１表示領域と上記第２表示領域との境界に隣接し、第２画素は、上記境界に隣接せず、上記第１画素においてある階調の表示データをある極性で表示するときの、上記第１画素に対応するデータ信号線の出力電圧は、上記第２画素において該階調の表示データを該極性で表示するときの、上記第２画素に対応するデータ信号線の出力電圧とは異なる。
【００１０】
本発明の一態様に係る表示装置の制御方法では、上記表示装置は、互いに異なる走査信号線群および互いに異なるデータ信号線群によって駆動され、かつ、互いに隣接する、第１表示領域および第２表示領域を有する表示パネルを備え、ある階調の表示データについて、上記表示データが上記第１表示領域と上記第２表示領域との境界に隣接する第１画素に書き込まれる場合の上記表示データに対する補正量と、上記境界に隣接しない第２画素に書き込まれる場合の上記表示データに対する補正量とを異ならせるように、上記表示データの階調補正を行うステップを含む。
【００１１】
本発明の一態様に係る表示装置の駆動方法では、上記表示装置は、互いに異なる走査信号線群および互いに異なるデータ信号線群によって駆動され、かつ、互いに隣接する、第１表示領域および第２表示領域を有する表示パネルを備え、第１画素は、上記第１表示領域と上記第２表示領域との境界に隣接し、第２画素は、上記境界に隣接せず、上記第１画素においてある階調の表示データをある極性で表示するときの、上記第１画素に対応するデータ信号線の出力電圧は、上記第２画素において該階調の表示データを該極性で表示するときの、上記第２画素に対応するデータ信号線の出力電圧とは異なる。
【発明の効果】
【００１２】
本発明の一態様によれば、分割された表示領域の境界部における表示品位を向上することができる。
【図面の簡単な説明】
【００１３】
【図１】本発明の一実施形態に係る表示装置の概略構成を示すブロック図である。
【図２】分割された表示領域の境界付近の上記表示装置の表示パネルの概略構成を拡大して示す図である。
【図３】上記表示装置の境界補正回路の構成を示すブロック図である。
【図４】一実施形態に係る補正量の一例を示すグラフの図である。
【図５】一実施形態に係る補正量の別の例を示すグラフの図である。
【図６】分割された表示領域の境界付近の上記表示装置の表示パネルの概略構成を拡大して示す図である。
【発明を実施するための形態】
【００１４】
〔実施形態１〕
図１は、本発明の一実施形態に係る表示装置１の概略構成を示すブロック図である。表示装置１は、映像信号処理回路２、タイミング生成回路３Ａ・３Ｂ、境界補正回路４Ａ・４Ｂ（階調補正部）、データドライバ５Ａ・５Ｂ、ゲートドライバ６Ａ〜６Ｄ（走査信号線ドライバ）、および、表示パネル７を備える。
【００１５】
表示パネル７は、互いに隣接する２つの表示領域８Ａ・８Ｂを有する。このように、表示パネル７の表示領域は、上下に分割されている。表示パネル７は、表示領域８Ａに配された、複数の走査信号線ＧＡおよび複数のデータ信号線ＳＡと、表示領域８Ｂに配された、複数の走査信号線ＧＢおよび複数のデータ信号線ＳＢとを備える。複数の走査信号線ＧＡおよび複数のデータ信号線ＳＡは、それぞれ、表示領域８Ａを駆動する、走査信号線群およびデータ信号線群を構成する。複数の走査信号線ＧＢおよび複数のデータ信号線ＳＢは、それぞれ、表示領域８Ｂを駆動する、走査信号線群およびデータ信号線群を構成する。各走査信号線は行方向（横方向）に延び、各データ信号線は列方向（縦方向）に延びる。２つの表示領域８Ａ・８Ｂは、表示パネル７上に一体で形成されているが、２つの表示領域８Ａ・８Ｂの境界において、データ信号線が上下に分割されている。表示パネル７は、複数の画素Ｐを備える。ここでは、１つの画素Ｐは、２つの副画素Ｐａ・Ｐｂを備える。副画素Ｐａ・Ｐｂは、それぞれ、トランジスタ（スイッチング素子）と、画素容量を形成する画素電極とを備える。１つの画素Ｐの副画素Ｐａ・Ｐｂの各トランジスタは、そのゲート端子に接続された対応する１つの走査信号線によって駆動される。１つの画素Ｐの副画素Ｐａ・Ｐｂには、対応する１つのデータ信号線から、各トランジスタを介して同じ表示データが書き込まれる。
【００１６】
また、表示パネル７は、行方向に延びる複数の保持容量配線ＣＳを備える。列方向に隣接する２つの画素Ｐの間に、１つの保持容量配線ＣＳが配置される。最上行の画素Ｐの上側、および最下行の画素Ｐの下側にも、それぞれ保持容量配線ＣＳが配置される。各保持容量配線ＣＳは、隣接する副画素Ｐａ・Ｐｂの画素電極との間で保持容量を形成する。複数の保持容量配線ＣＳは、その電圧が１フレーム期間内に周期的に変化するように、その両端から保持容量配線ドライバ（図示せず）によって駆動される。
【００１７】
ここでは、画素電極は液晶を介して対向電極との間で画素容量を形成する。すなわち、画素Ｐ（副画素Ｐａ・Ｐｂ）は、液晶表示素子であり、表示パネル７は液晶表示パネルであり、表示装置１は、液晶表示装置である。以下では、液晶表示パネルを例に挙げて説明するが、表示パネル７として、有機ＥＬ（electroluminescence）表示パネル等の、アクティブマトリクス駆動方式で表示データが書き込まれる任意の表示パネルを用いることができる。１つの画素Ｐは、典型的にはＲＧＢ（赤緑青）のいずれか１つの色成分を表現し、ＲＧＢに対応する３つの画素Ｐが１つの絵素に対応する。
【００１８】
（映像信号の流れ）
映像信号処理回路２は、入力された映像信号に対し、１フレーム（１画面）単位で各種の映像信号処理を行う。その後、映像信号処理回路２は、１フレーム分（１画面分）の表示データを、上下に分割された表示領域８Ａ・８Ｂに対応するように分割する。映像信号処理回路２は、表示領域８Ａに対応する表示データをタイミング生成回路３Ａに出力し、表示領域８Ｂに対応する表示データをタイミング生成回路３Ｂに出力する。このとき、映像信号処理回路２は、表示領域８Ｂに対応する表示データの出力を、表示領域８Ａに対応する表示データの出力より１フレーム期間遅らせてもよい。１フレーム期間は、各画素の表示更新を行う周期である。６０Ｈｚのリフレッシュレートで表示更新が行われる表示装置では、１フレーム期間は１／６０秒である。ここでは、映像信号のフレームレートも同様に６０Ｈｚであるとする。
【００１９】
タイミング生成回路３Ａは、表示領域８Ａに対応する表示データを、上の行から順次、境界補正回路４Ａに出力する。また、タイミング生成回路３Ａは、該表示データを表示パネル７に書き込むために、データドライバ５Ａを駆動するタイミング信号、および、ゲートドライバ６Ａ、６Ｃを駆動するタイミング信号を生成する。タイミング生成回路３Ａは、これらのタイミング信号を、それぞれデータドライバ５Ａおよびゲートドライバ６Ａ、６Ｃに出力する。
【００２０】
タイミング生成回路３Ｂも同様に、表示領域８Ｂに対応する表示データを、上の行から順次、境界補正回路４Ｂに出力する。また、タイミング生成回路３Ｂは、該表示データを表示パネル７に書き込むために、データドライバ５Ｂを駆動するタイミング信号、および、ゲートドライバ６Ｂ、６Ｄを駆動するタイミング信号を生成する。タイミング生成回路３Ｂは、これらのタイミング信号を、それぞれデータドライバ５Ｂおよびゲートドライバ６Ｂ、６Ｄに出力する。
【００２１】
境界補正回路４Ａ・４Ｂは、入力された表示データに対して、階調補正を行う。境界補正回路４Ａは、表示領域８Ａに対応する表示データの階調補正を行い、境界補正回路４Ｂは、表示領域８Ｂに対応する表示データの階調補正を行う。境界補正回路４Ａ・４Ｂは、それぞれ、あらかじめ設定された補正量テーブルを記憶している。境界補正回路４Ａ・４Ｂは、補正量テーブルを参照し、入力された表示データが示す階調、および、該表示データが書き込まれる画素Ｐの座標（ｘ、ｙ）に応じて、該表示データに対する補正量を決定する。境界補正回路４Ａは、補正された表示データをデータドライバ５Ａに出力する。境界補正回路４Ｂは、補正された表示データをデータドライバ５Ｂに出力する。
【００２２】
入力された表示データが示す階調をＤｉｎ、該表示データが書き込まれる画素Ｐの座標（列、行）を（ｘ、ｙ）、補正された表示データが示す階調をＤｏｕｔとする。Ｄｏｕｔ＝Ｄｉｎ＋Ｈ（Ｄｉｎ，ｘ，ｙ）となるように、境界補正回路４Ａ・４Ｂは、階調補正を行う。Ｈは補正量であり、補正量テーブルに基づいて、Ｄｉｎ、ｘ、およびｙに応じて決定される。階調補正の詳細は、後述する。
【００２３】
データドライバ５Ａは、タイミング信号にしたがって、複数の列に対応する補正された複数の表示データに対応する電圧（データ信号）を、表示領域８Ａの複数のデータ信号線ＳＡに出力する。ゲートドライバ６Ａ・６Ｃは、タイミング信号にしたがって、表示領域８Ａの各行の走査信号線ＧＡに対し、上から順次、走査信号（ゲートパルス）を出力する。ゲートドライバ６Ａ・６Ｃは、それぞれ、同じ走査信号線ＧＡをその両端から駆動する。表示データに対応する電圧が画素電極に入力されることで、表示データが画素Ｐに書き込まれる。
【００２４】
データドライバ５Ｂも同様に、タイミング信号にしたがって、複数の列に対応する補正された複数の表示データに対応する電圧を、表示領域８Ｂの複数のデータ信号線ＳＢに出力する。ゲートドライバ６Ｂは、タイミング信号にしたがって、表示領域８Ｂの各行の走査信号線ＧＢに対し、上から順次、走査信号を出力する。ゲートドライバ６Ｂ・６Ｄは、それぞれ、同じ走査信号線ＧＢをその両端から駆動する。
【００２５】
表示領域８Ａおよび表示領域８Ｂは、それぞれ、互いに異なるデータドライバ５Ａ・５Ｂおよびゲートドライバ６Ａ〜６Ｄによって、同時に並列に駆動される。例えば、１垂直期間の最初の水平期間に、表示領域８Ａの最上行の画素および表示領域８Ｂの最上行の画素に表示データが書き込まれる。また、１垂直期間の最後の水平期間に、表示領域８Ａの最下行の画素および表示領域８Ｂの最下行の画素に表示データが書き込まれる。このように、フレームレートが６０Ｈｚの映像信号について、１／６０秒間（１フレーム期間）において、表示領域８Ａの最上行から最下行までの表示データの書き込みと、表示領域８Ｂの最上行から最下行までの表示データの書き込みとが並行して行われる。なお、映像信号処理回路２が、表示領域８Ｂの画素に書き込まれる表示データの出力を１フレーム期間遅らせることにより、映像信号の１フレーム（１画面）の画像の上半分の表示データを表示領域８Ａに書き込むのに続いて、下半分の表示データを表示領域８Ｂに書き込むことができる。これにより、境界部分での表示のティアリング（表示時間差による表示物体の位置ずれ）を回避することができる。なお、表示領域８Ｂの表示データの遅延は、タイミング生成回路３Ｂまたは境界補正回路４Ｂ等で行ってもよい。
【００２６】
画素Ｐの位置がデータドライバ５Ａ・５Ｂから遠ざかるほど、配線容量および配線抵抗により、データ信号の波形はより鈍る。同様に、画素Ｐの位置がゲートドライバ６Ａ〜６Ｄまたは保持容量配線ドライバから遠ざかるほど、走査信号または保持容量信号の波形はより鈍る。そのため、表示領域８Ａと表示領域８Ｂとの境界付近、特に水平方向における中央部分では、各信号の波形がより鈍っている。また、境界に隣接する画素（表示領域８Ａの最下行の画素および表示領域８Ｂの最上行の画素）では、他の箇所の画素と比べて駆動が不連続になる。具体的には、表示領域８Ａの最下行の画素を駆動する水平期間の後、次の水平期間ではなく垂直ブランキング期間が続く。そのため、表示領域８Ａの最下行の画素の水平期間の後のデータ信号線ＳＡおよび走査信号線ＧＡに供給される電圧の状態は、他の箇所（中間部分）の画素の水平期間の状態とは異なる。
【００２７】
同様に、表示領域８Ｂの最上行の画素を駆動する水平期間は、前の水平期間ではなく垂直ブランキング期間に続いて開始される。表示領域８Ｂの最上行の画素を駆動する水平期間の直前に水平期間がない、すなわち、データ信号線ＳＢおよび走査信号線ＧＢに、表示データに対応するデータ信号および走査信号が直前には供給されていない。そのため、垂直ブランキング期間の後、最初にデータ信号および走査信号が供給される水平期間（表示領域８Ｂの最上行の画素の水平期間）では、データ信号および走査信号の鈍りはより強くなる。このように、表示領域８Ｂの最上行の画素の水平期間の後のデータ信号線ＳＢおよび走査信号線ＧＢに供給される電圧の状態は、他の箇所の画素の水平期間の状態とは異なる。
【００２８】
表示領域が分割されていない場合、このような特異的な画素（駆動状態が前後で不連続になる画素）は画面の上端または下端に現れる。そのため、その影響は視認されにくい。一方で、表示装置１のように、表示領域が分割されている場合、分割された表示領域の境界に隣接する位置にこのような特異的な画素が生じる。この場合、画面全体に同じ階調の表示データを書き込んだ場合でも、境界補正回路４Ａ・４Ｂによる階調補正がなければ、境界部分または境界付近に、他の箇所とは輝度の異なる線が表示され得る。この輝度の異なる線は、画面中央に位置するため視認されやすく、表示品位を低下させる。輝度の差は、走査信号または保持容量信号の波形の鈍りのために、さらに水平方向における中央付近において大きくなり、境界部分では他の箇所より輝度が低下した暗線が表示され得る。特に駆動の開始となる表示領域８Ｂの最上行の画素に、暗線が表示されやすい。境界部分に表示される輝度が異なる線は、表示パネル７の構造および特性により、暗線であったり明線であったりし得る。
【００２９】
（階調補正）
図２は、分割された表示領域の境界付近の表示パネル７の概略構成を拡大して示す図である。大文字（Ｒ、Ｇ、Ｂ）が付記された矩形は、各色の明副画素を示す。小文字（ｒ、ｇ、ｂ）が付記された矩形は、各色の暗副画素を示す。表示パネル７は、マルチ画素パネルであり、１つの画素Ｐは、明副画素および暗副画素を含む。１つの絵素ＰＥは、ＲＧＢの３つの画素Ｐを含む。ここでは、表示装置１は、ドット反転駆動を行う。そのため、縦または横に隣接する画素Ｐ毎に、極性が反転する。フレーム毎に各画素Ｐの極性は反転する。行方向に並ぶ複数の副画素は、同じ保持容量配線ＣＳの保持容量信号によって駆動されるため、同じ行の正極性の副画素と負極性の副画素とでは、明暗が逆になる。なお、これに限らず、表示装置１は、ライン反転駆動またはカラム反転駆動を行ってもよい。
【００３０】
データ信号線ＳＡ・ＳＢは、表示領域８Ａと表示領域８Ｂとの境界で互いに分けられている。なお、境界の位置には、保持容量配線ＣＳが配置されている。保持容量配線ＣＳは、２つの画素Ｐの間を通る。走査信号線ＧＡ・ＧＢは、１つの画素Ｐの明画素と暗画素との間を通る。
【００３１】
図３は、境界補正回路４Ａ・４Ｂの構成を示すブロック図である。境界補正回路４Ａ・４Ｂは、補正量決定回路４１、加算回路４２、および補正量テーブル４３を備える。境界補正回路４Ａ・４Ｂに入力された階調Ｄｉｎを示す表示データは、補正量決定回路４１および加算回路４２に入力される。
【００３２】
補正量テーブル４３は、入力された階調Ｄｉｎと、表示データが書き込まれる画素（絵素）の座標（ｘ、ｙ）とを変数として、対応する補正量Ｈが設定されたルックアップテーブルである。例えばｘは絵素列の番号、ｙは絵素行の番号を示す。各画素に対応する表示データは所定の順序で境界補正回路４Ａ・４Ｂに入力される。例えば、補正量決定回路４１は、順次入力される表示データをカウントすることにより、表示データが書き込まれる画素の座標を特定する。補正量決定回路４１は、補正量テーブル４３を参照し、入力された表示データの階調Ｄｉｎ、および座標（ｘ、ｙ）にしたがって、補正量Ｈを決定する。補正量決定回路４１は、補正量Ｈを加算回路４２に出力する。
【００３３】
加算回路４２は、階調Ｄｉｎと補正量Ｈとを加算することにより、補正された階調Ｄｏｕｔの表示データを生成し、出力する。なお、補正量決定回路４１で処理の遅延が生じる場合は、これに合わせて、加算回路４２は、入力された階調Ｄｉｎのデータを内部で保持（遅延）させておいてもよい。
【００３４】
図４は、補正量Ｈの一例を示すグラフの図である。横軸は入力された階調Ｄｉｎを示し、縦軸は補正量Ｈを示す。例えば、補正前の表示データの階調Ｄｉｎが３２であり、補正量Ｈが１１である場合、補正後の表示データの階調Ｄｏｕｔは４３となる。この例では、比較的低階調（Ｄｉｎ＜１５２の範囲の階調）の表示データについて、補正が行われる（Ｈ≠０）。比較的高階調（１５２≦Ｄｉｎの範囲の階調）の表示データについては補正は行われない（Ｈ＝０）。もちろん、全範囲の階調において表示データの補正を行ってもよい。入力された表示データの階調Ｄｉｎに応じて、補正量Ｈは異なる。また、表示データが書き込まれる画素Ｐ（絵素ＰＥ）の列ｘおよび行ｙに応じて、補正量Ｈは異なる。
【００３５】
図４における系列１〜６の補正量Ｈは、境界に隣接する画素（ｙ＝２１６０または２１６１）に書き込まれる表示データに対する補正量を示す。行方向における画面中央のｘ座標をｘ０とする。｜ｘ−ｘ０｜は、行方向における画面中央から画素までの距離を表す。表示データの階調Ｄｉｎが同じであれば、補正量決定回路４１は、行方向における画面中央から画素までの距離が小さいほど、補正量Ｈを大きくする。例えば、境界に隣接する画素のうち、｜ｘ−ｘ０｜が第１所定値未満の画素に書き込まれる表示データに対しては、系列１の補正量Ｈを適用する。境界に隣接する画素のうち、｜ｘ−ｘ０｜が第１所定値以上、第２所定値未満の画素に書き込まれる表示データに対しては、系列２の補正量Ｈを適用する。第２所定値は、第１所定値より大きい。系列１の補正量Ｈは、階調が同じであれば、系列２の補正量Ｈ以上である。同様に、系列３〜６の補正量Ｈは、徐々に小さくなる。補正量決定回路４１は、｜ｘ−ｘ０｜が大きいほど、より大きい番号の系列の補正量Ｈを適用する。例えば、表示領域の行方向の端付近に位置する画素に書き込まれる表示データに対する補正量Ｈとして、系列６（Ｈ＝０）を適用してもよい。
【００３６】
以下、特に言及のない場合、画素の位置に応じた補正量Ｈの大小に関する説明は、各画素の表示データの補正前の階調Ｄｉｎが互いに同じである（例えば画面全体を一色（例えばグレー）表示する）ことを条件としたものである。また、一定期間（複数フレーム期間）に渡って画面全体を一色表示するとき、２つの画素に対応する表示データの補正後の階調Ｄｏｕｔが同じであれば、該２つの画素に対応する２つのデータ信号線は、同じ電圧を出力する。ただし、対応する２つの画素の極性が同じであるとする。一方、２つの表示データの補正後の階調Ｄｏｕｔが異なっていれば、極性が同じであっても、該２つの画素に対応する２つのデータ信号線は、異なる電圧を出力する。各画素に対応するデータ信号線には、該画素を駆動するときに、表示データの補正後の階調Ｄｏｕｔに応じた高さの電圧が出力される。
【００３７】
画面全体を一色表示する場合、境界に隣接する画素のうち、表示データが書き込まれる画素がゲートドライバ６Ａ〜６Ｄから最も離れて（行方向の画面中央に）位置する場合の補正量Ｈは、ゲートドライバ６Ａ〜６Ｄから最も近く（行方向の端）に位置する場合の補正量Ｈよりも、大きい。
【００３８】
境界から数えて２行目の画素（ｙ＝２１５９または２１６２）に書き込まれる表示データに対する補正量Ｈは、境界から数えて１行目の画素（境界に隣接する画素）に書き込まれる表示データに対する補正量Ｈと同じでもよいし、それより小さくてもよい。例えば、境界から数えて２行目の画素に書き込まれる表示データに対する補正量Ｈとして、系列１を適用してもよいし、系列３を適用してもよいし、系列６（Ｈ＝０）を適用してもよい。なお、境界から数えて２行目の画素に書き込まれる表示データに対する補正量Ｈとして、補正量テーブル４３に別の系列の補正量が設定されていてもよい。表示データの階調Ｄｉｎが同じかつ画素の位置する列が同じであれば、補正量決定回路４１は、同じ色成分について画素の列方向における境界からの距離（または境界から数えた行数）が大きくなるほど、補正量Ｈを小さくする。例えば、図２における境界に隣接する画素Ｐ１（第１画素）に書き込まれる表示データに対する補正量Ｈは、境界に隣接しない画素Ｐ２（第２画素）に書き込まれる表示データに対する補正量Ｈより大きい。なお、表示データに対する補正量Ｈは、表示データが境界に隣接する画素に書き込まれる場合に最大となる。
【００３９】
このように、画素の境界からの距離に応じて、補正量Ｈを異ならせることにより、階調補正が行われない場合に境界の位置（境界付近）に生じる暗線または明線を、解消することができる。特に、境界に隣接するか否か（境界から数えて１行目か２行目以上か）に応じて、補正量Ｈを異ならせることで、駆動が不連続になる境界に隣接する行の表示を適切に補正することができる。ここでは、境界補正回路４Ａ・４Ｂは、補正量Ｈが大きいほど、表示データの階調をより明るく補正する。そのため、境界付近の画素の表示を明るく補正することができ、暗線が生じることを防止することができる。
【００４０】
例えば、図２における表示領域８Ｂにおいて境界に隣接する画素Ｐ１（第１画素）に書き込まれる表示データに対する補正量Ｈは、表示領域８Ａにおいて境界に隣接する画素Ｐ３（第３画素）に書き込まれる表示データに対する補正量Ｈと、同じであっても異なっていてもよい。表示領域８Ｂの最上行の方が信号波形の鈍り等の影響が大きい場合、画素Ｐ１に書き込まれる表示データに対する補正量Ｈを画素Ｐ３に書き込まれる表示データに対する補正量Ｈより大きくすることにより、適切な階調補正を行うことができる。このように境界の上下で補正量Ｈが異なっていてもよい。例えば、一方の表示領域（例えば８Ｂ）の表示データに対してのみ、階調補正を行ってもよい。この場合、表示領域８Ａに関する境界補正回路４Ａを省略することができる。
【００４１】
図５は、補正量Ｈの別の例を示すグラフの図である。横軸は入力された階調Ｄｉｎを示し、縦軸は補正量Ｈを示す。この例では、高階調（１５２≦Ｄｉｎの範囲の階調）の表示データについては、階調を下げるように補正される（Ｈ＜０）。このように、表示パネル７の特性に応じて、一部の階調において階調を高くするように補正し、他の階調において階調を低くするように補正してもよい。この場合も、画素が境界に近いほど、また、ゲートドライバ６Ａ〜６Ｄから離れるほど、補正量（絶対値）は大きい。各列において、画素が境界から離れるほど、該画素に対応する表示データに対する補正量は小さくなる。
【００４２】
製造工程において、図４のような補正量テーブルの設定値は、表示装置の実際の表示状態を確認しながら、暗線または明線が視認されないように設定または変更される。同じ製品の複数の表示装置に対して、同じ補正量テーブルを用いて階調補正を行ってもよい。複数の表示装置の構造が同じであれば、信号波形の鈍り等の傾向も類似していると考えられるためである。一方、個々の表示装置毎の特性の差が大きい場合、例えばデフォルトの補正量テーブルを基に、表示装置毎に、その表示状態に応じて、補正量を調整（変更）してもよい。
【００４３】
なお、１つの絵素のＲＧＢの画素に対して同じ補正量Ｈを適用してもよいし、色成分毎に補正量Ｈを異ならせてもよい。
【００４４】
〔実施形態２〕
本発明の他の実施形態について、説明する。なお、説明の便宜上、上記実施形態にて説明した部材と同じ機能を有する部材については、同じ符号を付記し、その説明を省略する。本実施形態では、補正量テーブルに記憶する値を削減する点が上述の実施形態とは異なる。
【００４５】
階調数を２５６として、絵素数を８Ｋ４Ｋ（横：７６８０絵素、縦：４３２０絵素）であるとする。全ての階調および全てのｘ座標について、個別に補正量Ｈを設定する場合、補正量テーブル４３は、１行につき２５６×７６８０個の値（約２ＭＢ）を格納する必要がある。
【００４６】
本実施形態では、補正量テーブル４３は、一部の階調Ｄｉｎおよび補正が必要な複数の行のうちの一部の行ｙについての補正量Ｈを記憶している。例えば、補正量テーブル４３は、境界に隣接する行の画素に対応する補正量として、図４に示す系列１の補正量Ｈの値を、飛び飛びの階調Ｄｉｎ（マーカーで示される点）について記憶している。補正量テーブル４３は、別の行（例えば３行目等）の画素に対応する補正量を別途記憶している。補正量テーブル４３は、さらに飛び飛びの列ｘに応じて系列２〜６等の補正量Ｈの値を記憶してもよいが、ここでは、補正量決定回路４１は、任意の列ｘの画素に対応する補正量を、系列１の補正量Ｈに基づき算出する。
【００４７】
補正量決定回路４１は、入力された表示データの階調Ｄｉｎ、該表示データが書き込まれる画素の座標（ｘ、ｙ）の補正量を、補正量テーブル４３に設定された既知の複数の補正量から補間（線形補間等）して求める。なお、ｘ座標については、行方向の中央の画素に対応する補正量として系列１の補正量Ｈを使用し、行方向の端の画素に対応する補正量を０として、その間を補間する。例えば、境界に隣接する行の中央の画素について、階調Ｄｉｎ＝４８の表示データに対する補正量Ｈは、１０である（図４参照）。表示データの階調Ｄｉｎ＝４８のとき、境界に隣接する行の任意の列ｘの画素に対応する補正量は、１０に（１−｜（ｘ／ｘ０）−１｜）を乗じた値となる。Ｄｉｎ、ｘ、ｙのいずれも補正量テーブル４３に設定されていない場合、変数が３つであるので、補正量決定回路４１は、その周りの８つの既知の補正量Ｈを補正量テーブル４３から取得し、８つの補正量Ｈから補間することにより、該Ｄｉｎ、ｘ、ｙに対応する補正量を求める。
【００４８】
このように、補正量決定回路４１は、飛び飛びの階調および座標に対して設定された補正量Ｈに基づき、補間により、その間の階調および座標に対応する補正量を決定してもよい。これにより、補正量テーブル４３が記憶する補正量のデータ量を小さくすることができる。
【００４９】
なお、補正量テーブル４３は、列方向における位置ｙ毎に補正量を記憶してもよい。または、補正量決定回路４１は、例えば他の補正量（例えば境界に隣接する画素に対応する補正量（図４、図５の系列１等））に境界から離れるにしたがって減衰する係数を乗じることにより、境界から離れた画素に対応する補正量を決定してもよい。
【００５０】
〔実施形態３〕
本発明のさらに他の実施形態について、説明する。なお、説明の便宜上、上記実施形態にて説明した部材と同じ機能を有する部材については、同じ符号を付記し、その説明を省略する。本実施形態では、マルチ絵素駆動により適した階調補正を行う。
【００５１】
図６は、分割された表示領域の境界付近の表示パネル７の概略構成を拡大して示す図である。Ｒ、Ｇ、Ｂ等の記号は図２と同様の意味を表す。１つの画素Ｐの明副画素と暗副画素とはデータ信号線ＳＡが延びる方向に並ぶ。表示領域８Ｂの最上行の絵素について、奇数番目の列の絵素ＰＥｏｄｄ（ｘ＝１、３、５…）では、ＲおよびＢの明副画素とＧの暗副画素とが境界に隣接している。一方、偶数番目の列の絵素ＰＥｅｖｅｎ（ｘ＝２、４、６…）では、Ｇの明副画素とＲおよびＢの暗副画素とが境界に隣接している。
【００５２】
境界補正回路４Ｂは、表示領域８Ｂにおける境界に隣接する絵素のうち奇数番目の絵素ＰＥｏｄｄについては、Ｒ画素およびＢ画素に書き込まれる表示データを補正し、Ｇ画素に書き込まれる表示データを補正しない。また、境界補正回路４Ｂは、表示領域８Ｂにおける境界に隣接する絵素のうち偶数番目の絵素ＰＥｅｖｅｎについては、Ｇ画素に書き込まれる表示データを補正し、Ｒ画素およびＢ画素に書き込まれる表示データを補正しない。補正量として、例えば、図４、５に示される系列１の補正量を用いてもよい。これによれば、図６に示される斜線が付された画素に書き込まれる表示データが補正されることになる。斜線が付された画素は、表示領域８Ａ・８Ｂの境界に明副画素が隣接する画素である。特に階調補正を必要とする低階調の範囲では、暗副画素が表示に与える影響は小さく、表示に関して、明副画素が支配的な影響を与える。そのため、境界補正回路４Ｂは、境界に隣接する画素Ｐのうち、境界に明副画素が隣接する画素に対応する表示データのみを補正する。これにより、あたかも絵素行の半分を単位として、境界に隣接する明副画素の表示データのみを補正したかのような効果を奏することができる。そのため、境界からの距離に応じたより適切な階調補正を行うことができる。それゆえ、これを考慮せずに階調補正を行った場合に比べ、明副画素と暗副画素との液晶配向の差による視野角改善効果を向上させ、表示装置１の表示品位を向上することができる。
【００５３】
なお、表示領域８Ａの最下行の絵素については補正しなくてもよいし、表示領域８Ｂと同様に補正してもよい。補正する場合、境界に明副画素が隣接する画素に対応する表示データを補正する。補正量は、表示領域８Ａの最下行と、表示領域８Ｂの最上行とで、同じであっても、異ならせてもよい。
【００５４】
〔実施形態４〕
本発明のさらに他の実施形態について、説明する。なお、説明の便宜上、上記実施形態にて説明した部材と同じ機能を有する部材については、同じ符号を付記し、その説明を省略する。本実施形態では、境界に暗副画素が隣接する画素についても補正を行う点が実施形態３とは異なる。
【００５５】
境界補正回路４Ｂは、表示領域８Ｂにおける境界に隣接する絵素のうち奇数番目の絵素ＰＥｏｄｄについては、Ｒ画素およびＢ画素に書き込まれる表示データを補正量Ｈ１で補正し、Ｇ画素に書き込まれる表示データを補正量Ｈ２で補正する。Ｈ１はＨ２より大きい。また、境界補正回路４Ｂは、表示領域８Ｂにおける境界に隣接する絵素のうち偶数番目の絵素ＰＥｅｖｅｎについては、Ｇ画素に書き込まれる表示データを補正量Ｈ３で補正し、Ｒ画素およびＢ画素に書き込まれる表示データを補正量Ｈ４で補正する。Ｈ３はＨ４より大きくＨ２より大きい。もちろん、Ｈ１〜Ｈ４は、階調Ｄｉｎ、ｘによって変化し、補正量テーブル４３にしたがって決められる。すなわち、画素に書き込まれる表示データに対する補正量Ｈは、階調Ｄｉｎと、画素（絵素）の列ｘと、境界から明副画素までの距離ｙ’に応じて変えられる。これにより、絵素行の半分を単位として、各画素の表示データを補正することができる。
【００５６】
また、境界から数えて２行目以降の絵素についても、１行目と同様に、偶数番目の絵素と奇数番目の絵素とを分けて、境界から明副画素までの距離ｙ’に応じて単調減少する補正量によって、表示データを補正してもよい。
【００５７】
表示領域８Ａについても同様に、境界補正回路４Ａは、偶数番目の絵素と奇数番目の絵素とを分けて、境界から明副画素までの距離ｙ’に応じて単調減少する補正量によって、表示データを補正してもよい。
【００５８】
なお、補正量テーブル４３は、列方向における位置ｙ’毎に補正量を記憶してもよい。または、補正量決定回路４１は、例えば他の補正量（例えば境界に隣接する画素に対応する補正量（図４、図５の系列１等））に境界から離れるにしたがって減衰する係数を乗じることにより、境界から離れた画素に対応する補正量を決定してもよい。
【００５９】
〔変形例〕
以上では、表示パネル７の表示領域が縦に２つに分割された例について説明したが、本発明は、表示パネル７の表示領域が横に２つに分割された場合にも適用することができる。この場合、走査信号線は、左右の表示領域の境界で分断されている。また、本発明は、縦および横にそれぞれ分割された場合にも適用することができる。これらの場合でも、表示装置は、境界からの画素（または絵素）の距離に応じて、異なる補正量で表示データの補正を行う。
【００６０】
〔まとめ〕
本発明の態様１に係る表示装置（１）は、互いに異なる走査信号線群および互いに異なるデータ信号線群によって駆動され、かつ、互いに隣接する、第１表示領域（８Ａ）および第２表示領域（８Ｂ）を有する表示パネル（７）と、ある階調の表示データについて、上記表示データが上記第１表示領域と上記第２表示領域との境界に隣接する第１画素（Ｐ１）に書き込まれる場合の上記表示データに対する補正量と、上記境界に隣接しない第２画素（Ｐ２）に書き込まれる場合の上記表示データに対する補正量とを異ならせるように、上記表示データの階調補正を行う階調補正部（境界補正回路４Ａ・４Ｂ）とを備える。
【００６１】
上記の構成によれば、境界に隣接する第１画素に書き込まれる表示データと、境界に隣接しない第２画素に書き込まれる表示データとで、異なる補正量で補正をすることができる。それゆえ、境界周辺に暗線または明線が生じることを防止することができる。よって、分割された表示領域の境界部における表示品位を向上させることができる。なお、第２画素に書き込まれる場合の表示データに対する補正量は、０より大きくてもよいし、０でもよい。
【００６２】
本発明の態様２に係る表示装置では、上記態様１において、上記階調補正部は、上記表示データが書き込まれる画素が上記境界に隣接するか否かに応じて、上記表示データに対する補正量を異ならせてもよい。
【００６３】
上記の構成によれば、画素が境界に隣接するか否かに応じて表示データに対する補正量が異なる。例えば、境界から数えて第１行目の画素に書き込まれる表示データと、第２行目の画素に書き込まれる表示データとでは補正量を異ならせる。それゆえ、境界部分に暗線または明線が生じることを適切に防止することができる。
【００６４】
本発明の態様３に係る表示装置では、上記態様１または２において、上記表示データが上記第１画素に書き込まれる場合の上記補正量は、上記表示データが上記第２画素に書き込まれる場合の上記補正量よりも、大きい構成であってもよい。
【００６５】
上記の構成によれば、境界に隣接する画素に対してより強い補正を行うことができる。それゆえ、境界部分に暗線または明線が生じることを防止することができる。
【００６６】
本発明の態様４に係る表示装置では、上記態様１から３において、上記第１表示領域および上記第２表示領域は、データ信号線が延びる方向に並んでおり、上記表示データについて、上記第１画素が走査信号線ドライバから最も離れて位置する場合の上記補正量は、上記第１画素が上記走査信号線ドライバから最も近くに位置する場合の上記補正量よりも、大きい構成であってもよい。
【００６７】
上記の構成によれば、走査信号の波形の鈍りによる影響を補償することができる。それゆえ、特に境界の中央部に生じやすい暗線または明線の発生を防止することができる。
【００６８】
本発明の態様５に係る表示装置では、上記態様１から４において、上記表示データに対する上記補正量は、上記表示データが上記境界に隣接する上記第１画素に書き込まれる場合に、最大となる構成であってもよい。
【００６９】
上記の構成によれば、信号波形の鈍りが最大となる境界付近の画素に対応する表示データに対する補正量を最大にすることができる。それゆえ、信号波形の鈍りの影響を適切に補償することができる。
【００７０】
本発明の態様６に係る表示装置では、上記態様１から５において、上記第１表示領域において上記境界に隣接する第３画素は、１フレーム期間の最後に走査され、上記第２表示領域において上記境界に隣接する上記第１画素は、１フレーム期間の最初に走査され、上記表示データが上記第１画素に書き込まれる場合の上記補正量は、上記表示データが上記第３画素に書き込まれる場合の上記補正量よりも、大きい構成であってもよい。
【００７１】
第１表示領域と第２表示領域とでは、同じように境界に隣接する画素でも、信号波形の鈍りの影響が異なる。上記の構成によれば、第１表示領域および第２表示領域におうじて適切に補正をすることができる。
【００７２】
本発明の態様７に係る表示装置では、上記態様３から６において、上記階調補正部は、上記補正量が大きいほど、上記表示データの階調をより明るく補正する構成であってもよい。
【００７３】
信号波形の鈍りの影響により、境界部分には暗線が生じやすい。上記の構成によれば、境界部分に暗線が生じることを防止することができる。
【００７４】
本発明の態様８に係る表示装置では、上記態様１から７において、上記階調補正部は、一部の座標の画素および一部の階調に関して上記補正量が設定された補正量テーブルを参照し、上記補正量テーブルの複数の上記補正量から補間することにより、他の座標の画素に書き込まれる他の階調の表示データに対する上記補正量を決定する構成であってもよい。
【００７５】
上記の構成によれば、補正量テーブルに設定するデータの数を削減することができる。
【００７６】
本発明の態様９に係る表示装置では、上記態様１から８において、上記階調補正部は、上記階調補正が行われない場合に上記境界の位置に生じる暗線を、上記階調補正によって解消する構成であってもよい。
【００７７】
本発明の態様１０に係る表示装置では、上記態様１から９において、各画素は、明副画素と暗副画素とを備え、上記境界から上記明副画素までの距離に応じて、該明副画素に書き込まれる上記表示データに対する上記補正量を異ならせる構成であってもよい。
【００７８】
上記の構成によれば、画素によって明副画素と暗副画素との位置が異なる場合であっても、影響の大きい明副画素の位置に応じて、画素毎に適切な補正量で補正を行うことができる。
【００７９】
本発明の態様１１に係る表示装置では、上記態様１０において、上記明副画素が上記境界に隣接する上記第１画素に上記表示データが書き込まれる場合の上記補正量は、上記暗副画素が上記境界に隣接する第４画素に上記表示データが書き込まれる場合の上記補正量よりも大きい構成であってもよい。
【００８０】
上記の構成によれば、境界に隣接する複数の画素のうち、明副画素が境界に隣接する場合と、暗副画素が境界に隣接する場合とで補正量を異ならせることができる。それゆえ、より影響の大きい、明副画素が境界に隣接する画素をより大きく補正することができる。
【００８１】
本発明の態様１２に係る表示装置は、互いに異なる走査信号線群および互いに異なるデータ信号線群によって駆動され、かつ、互いに隣接する、第１表示領域および第２表示領域を有する表示パネルを備え、第１画素は、上記第１表示領域と上記第２表示領域との境界に隣接し、第２画素は、上記境界に隣接せず、上記第１画素においてある階調の表示データをある極性で表示するときの、上記第１画素に対応するデータ信号線の出力電圧は、上記第２画素において該階調の表示データを該極性で表示するときの、上記第２画素に対応するデータ信号線の出力電圧とは異なる。
【００８２】
本発明の態様１３に係る表示装置の制御方法では、上記表示装置は、互いに異なる走査信号線群および互いに異なるデータ信号線群によって駆動され、かつ、互いに隣接する、第１表示領域および第２表示領域を有する表示パネルを備え、ある階調の表示データについて、上記表示データが上記第１表示領域と上記第２表示領域との境界に隣接する第１画素に書き込まれる場合の上記表示データに対する補正量と、上記境界に隣接しない第２画素に書き込まれる場合の上記表示データに対する補正量とを異ならせるように、上記表示データの階調補正を行うステップを含む。
【００８３】
本発明の態様１４に係る表示装置の駆動方法では、上記表示装置は、互いに異なる走査信号線群および互いに異なるデータ信号線群によって駆動され、かつ、互いに隣接する、第１表示領域および第２表示領域を有する表示パネルを備え、第１画素は、上記第１表示領域と上記第２表示領域との境界に隣接し、第２画素は、上記境界に隣接せず、上記第１画素においてある階調の表示データをある極性で表示するときの、上記第１画素に対応するデータ信号線の出力電圧は、上記第２画素において該階調の表示データを該極性で表示するときの、上記第２画素に対応するデータ信号線の出力電圧とは異なる。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８５】
本発明は、表示装置に利用することができる。
【符号の説明】
【００８６】
１  表示装置
２  映像信号処理回路
３Ａ・３Ｂ  タイミング生成回路
４Ａ・４Ｂ  境界補正回路（階調補正部）
５Ａ・５Ｂ  データドライバ
６Ａ〜６Ｄ  ゲートドライバ（走査信号線ドライバ）
７  表示パネル
８Ａ・８Ｂ  表示領域
４１  補正量決定回路
４２  加算回路
４３  補正量テーブル
【図１】
2017003712.tif 000003
【図２】
2017003712.tif 000004
【図３】
2017003712.tif 000005
【図４】
2017003712.tif 000006
【図５】
2017003712.tif 000007
【図６】
2017003712.tif 000008